(57)【要約】【課題】漏電を未然に防止することにより、安全性を高めた充電器を提供する。【解決手段】本発明に係る充放電器１は、電気自動車２の蓄電池２１への充電を行う機能を有する。充放電器１は、充放電器１と蓄電池２１との通電を制御する充放電制御部１２と、振動を検出する加速度センサ１６ａ・１６ｂと、加速度センサ１６ａ・１６ｂによって検出された振動が一定以上であるか否かを判定する振動判定部１７とを備える。充放電器１と蓄電池２１とが通電している間に、上記振動が一定以上であると判定された場合に、充放電制御部１２は、充放電器１と蓄電池２１との通電を停止させる【選択図】図１
2012157175.tif 000002
【特許請求の範囲】
【請求項１】
車両の蓄電池への充電を行う機能を有する充電器であって、
上記充電器と上記蓄電池との通電を制御する通電制御手段と、
振動を検出するセンサと、
上記センサによって検出された振動が一定以上であるか否かを判定する振動判定手段とを備え、
上記充電器と上記蓄電池とが通電している間に、上記振動が一定以上であると判定された場合に、上記通電制御手段は、上記充電器と上記蓄電池との通電を停止させることを特徴とする充電器。
【請求項２】
上記センサは、上記充電器の本体に設けられることを特徴とする請求項１に記載の充電器。
【請求項３】
上記センサは、上記充電器を上記車両と接続するためのコネクタに設けられることを特徴とする請求項１または２に記載の充電器。
【請求項４】
上記充電器および上記蓄電池に異常があるか否かを確認する動作確認手段を備え、
上記通電制御手段は、上記充電器と上記蓄電池との通電が停止してから、上記センサが上記一定以上の振動を検出することなく所定時間が経過した後、上記動作確認手段が異常なしと判定した場合に、上記充電器と上記蓄電池との通電を再開させることを特徴とする請求項１〜３の何れか１項に記載の充電器。
【請求項５】
上記充電器および上記蓄電池に異常があるか否かを確認する動作確認手段を備え、
上記通電制御手段は、上記充電器と上記蓄電池との通電が停止した後、上記動作確認手段が異常なしと判定した場合に、上記充電器と上記蓄電池との通電を再開させることを特徴とする請求項１〜３の何れか１項に記載の充電器。
【請求項６】
上記振動判定手段によって上記振動が一定以上であると判定された場合に、警報を発する警報手段を備えることを特徴とする請求項１〜５の何れか１項に記載の充電器。
【請求項７】
車両の蓄電池への充電を行う機能を有する充電器の制御方法であって、
上記充電器と上記蓄電池との通電を開始する通電開始ステップと、
上記充電器と上記蓄電池とが通電している間に、上記充電器の振動を検出する振動検出ステップと、
上記振動検出ステップにおいて検出された振動が一定以上であるか否かを判定する振動判定ステップと、
上記振動が一定以上であると判定された場合に、上記充電器と上記蓄電池との通電を停止させる通電停止ステップとを含むことを特徴とする充電器の制御方法。
【請求項８】
請求項１〜６の何れか１項に記載の充電器を動作させるための制御プログラムであって、コンピュータを上記各手段として機能させるための制御プログラム。
【請求項９】
請求項８に記載の制御プログラムを記録したコンピュータ読み取り可能な記録媒体。
【発明の詳細な説明】
【技術分野】
【０００１】
本発明は、電気によって駆動する車両の蓄電池に電力を供給する充電器、充電器の制御方法、制御プログラムおよび記録媒体に関する。
【背景技術】
【０００２】
近年、環境負荷の少ない次世代の自動車として、電気によって駆動する電気自動車が実用化されている。電気自動車は、駆動装置としての電気モータと、電気モータに供給する電力を蓄えるバッテリ（蓄電池）とを搭載している。
【０００３】
蓄電池への充電は、家庭用電源や充電ステーションで行うことができる。特に、充電ステーションでは充電時間短縮のため、急速充電可能な充放電器を用いて充電されることが多い。
【０００４】
図５（ａ）は、一般的な充電ステーションを示す概略図である。充電ステーションに設置されている充放電器１００は、本体１００ａ、ケーブル１００ｂおよびコネクタ１００ｃから構成されている。コネクタ１００ｃを電気自動車１１０のコネクタ挿入口に接続して、所定の充電開始操作を行うことにより、充電が開始される。
【０００５】
図５（ｂ）は、コネクタ１００ｃの構成を示す斜視図である。コネクタ１００ｃには、レバー１０１が設けられている。レバー１０１を握りながら、先端部１０２をコネクタ挿入口の所定の深さまで差し込むことにより、コネクタ１００ｃが電気自動車に接続される。
【０００６】
急速充電中は、ケーブル１００ｂに高電圧の電流が流れる（例えば、電圧：５００Ｖ、電流：１００Ａ、電力：５０ｋｗｈ）。このため、急速充電中にコネクタ１００ｃがコネクタ挿入口から外れると、空気中への放電が発生し、ユーザが感電するおそれがある。そのため、充放電器１００は、充電中にコネクタ１００ｃが外れないように、ロック機能を備えている。
【０００７】
また、急速充電であっても、蓄電池が満充電となるまでに１５分〜３０分程度かかるため、充電中に電気自動車の所有者が充電ステーションから離れる場合がある。そのため、充電中にコネクタ１００ｃを外そうとするなどの悪戯や、ケーブル１００ｂに人の足などが引っ掛かってコネクタ１００ｃが外れるといったトラブルも想定される。
【０００８】
これに対し、特許文献１には、電力供給回路内および充電プラグ（コネクタ）に、接続信号発信回路および接続信号受信回路をそれぞれ設け、さらに、監視装置として、異常検知回路および警報装置を設けた安全管理システムが開示されている。このシステムでは、充電中に充電プラグが外れるなどのトラブルが起こった場合、異常検出回路がトラブルを検出し、警報装置が警報音を鳴らすように構成されている。
【先行技術文献】
【特許文献】
【０００９】
【特許文献１】特開２００９−２０６０９５号公報（２００９年９月１０日公開）
【発明の概要】
【発明が解決しようとする課題】
【００１０】
しかしながら、特許文献１に記載の発明は、充電中に充電プラグ（コネクタ）が外れるなどのトラブルが発生した後に、ユーザに報知する構成であるため、ユーザがトラブル発生に気付く前に感電するおそれがある。
【００１１】
本発明は、上記の問題点を解決するためになされたもので、その目的は、漏電を未然に防止することにより、安全性を高めた充電器および充電器の制御方法を提供することにある。
【課題を解決するための手段】
【００１２】
上記の課題を解決するために、本発明に係る充電器は、車両の蓄電池への充電を行う機能を有する充電器であって、上記充電器と上記蓄電池との通電を制御する通電制御手段と、振動を検出するセンサと、上記センサによって検出された振動が一定以上であるか否かを判定する振動判定手段とを備え、上記充電器と上記蓄電池とが通電している間に、上記振動が一定以上であると判定された場合に、上記通電制御手段は、上記充電器と上記蓄電池との通電を停止させることを特徴としている。
【００１３】
上記の構成によれば、少なくとも充電器と蓄電池とが通電している間、充電器に設けられたセンサが、充電器の振動を検出する。そして、充電器と蓄電池とが通電している間に、振動判定手段が充電器の振動が一定以上であると判定した場合、通電制御手段は、充電器と蓄電池との通電を停止させる。これにより、充電または放電中に充電器が何らかの原因で振動して、漏電の可能性がある場合に、漏電を未然に防ぐことができるので、漏電が発生してから警報音を発する従来構成に比べて、より確実に感電事故を防止することができる。したがって、漏電を未然に防止することにより、安全性を高めた充電器を提供することができる。
【００１４】
本発明に係る充電器では、上記センサは、上記充電器の本体に設けられることが好ましい。
【００１５】
上記の構成によれば、例えば地震によって充電器の本体が破損して断線や短絡が発生したり、重量物が充電器のケーブルに落下してケーブルの被覆が剥がれること等による漏電を未然に防ぐことができる。
【００１６】
本発明に係る充電器では、上記センサは、上記充電器を上記車両と接続するためのコネクタに設けられることが好ましい。
【００１７】
上記の構成によれば、例えば、充電または放電中に、他人がコネクタを外そうとしたり、充電器のケーブルに人の足などが引っ掛かった場合に、コネクタが外れる前に、充電器と蓄電池との通電を停止させることができる。これにより、コネクタから空気中への放電を確実に防止することができる。
【００１８】
本発明に係る充電器では、上記充電器および上記蓄電池に異常があるか否かを確認する動作確認手段を備え、上記通電制御手段は、上記充電器と上記蓄電池との通電が停止してから、上記センサが上記一定以上の振動を検出することなく所定時間が経過した後、上記動作確認手段が異常なしと判定した場合に、上記充電器と上記蓄電池との通電を再開させることが好ましい。
【００１９】
また、本発明に係る充電器では、上記充電器および上記蓄電池に異常があるか否かを確認する動作確認手段を備え、上記通電制御手段は、上記充電器と上記蓄電池との通電が停止した後、上記動作確認手段が異常なしと判定した場合に、上記充電器と上記蓄電池との通電を再開させることが好ましい。
【００２０】
上記の構成によれば、振動により充電器と蓄電池との通電が停止した場合、動作確認手段が充電器および蓄電池に異常があるか否かを確認し、異常なしと判定した場合に、通電が再開される。これにより、振動により充電器または蓄電池が破損した場合に通電を再開させることによる漏電を防止することができる。
【００２１】
本発明に係る充電器では、上記振動判定手段によって上記振動が一定以上であると判定された場合に、警報を発する警報手段を備えることが好ましい。
【００２２】
上記の構成によれば、振動により充放電が停止したことをユーザに報知することができる。また、他人が充電器のコネクタを外そうとした場合には、コネクタが外される前に、警報音が発せられるので、悪戯に対するセキュリティを強化することができる。
【００２３】
上記の課題を解決するために、本発明に係る充電器の制御方法は、車両の蓄電池への充電を行う機能を有する充電器の制御方法であって、上記充電器と上記蓄電池との通電を開始する通電開始ステップと、上記充電器と上記蓄電池とが通電している間に、上記充電器の振動を検出する振動検出ステップと、上記振動検出ステップにおいて検出された振動が一定以上であるか否かを判定する振動判定ステップと、上記振動が一定以上であると判定された場合に、上記充電器と上記蓄電池との通電を停止させる通電停止ステップとを含むことを特徴としている。
【００２４】
上記の構成によれば、充電器と蓄電池とが通電している間に、充電器の振動が一定以上である場合に、充電器と蓄電池との通電が停止される。これにより、充電または放電中に充電器が何らかの原因で振動して、漏電の可能性がある場合に、漏電を未然に防ぐことができるので、漏電が発生してから警報音を発する従来構成に比べて、より確実に感電事故を防止することができる。したがって、漏電を未然に防止することにより、安全性を高めた充電器の制御方法を提供することができる。
【００２５】
なお、上記充放電器は、コンピュータによって実現してもよく、この場合には、コンピュータを上記充放電器の各手段として動作させることにより、上記充放電器をコンピュータにて実現させる制御プログラム、及びそれを記録したコンピュータ読み取り可能な記録媒体も本発明の範疇に入る。
【発明の効果】
【００２６】
以上のように、本発明に係る充電器は、車両の蓄電池への充電を行う機能を有する充電器であって、上記充電器と上記蓄電池との通電を制御する通電制御手段と、振動を検出するセンサと、上記センサによって検出された振動が一定以上であるか否かを判定する振動判定手段とを備え、上記充電器と上記蓄電池とが通電している間に、上記振動が一定以上であると判定された場合に、上記通電制御手段は、上記充電器と上記蓄電池との通電を停止させる。
【００２７】
また、本発明に係る充電器の制御方法は、車両の蓄電池への充電を行う機能を有する充電器の制御方法であって、上記充電器と上記蓄電池との通電を開始する通電開始ステップと、上記充電器と上記蓄電池とが通電している間に、上記充電器の振動を検出する振動検出ステップと、上記振動検出ステップにおいて検出された振動が一定以上であるか否かを判定する振動判定ステップと、上記振動が一定以上であると判定された場合に、上記充電器と上記蓄電池との通電を停止させる通電停止ステップとを含む。
【００２８】
したがって、漏電を未然に防止することにより、安全性を高めた充電器および充電器の制御方法を提供することができるという効果を奏する。
【図面の簡単な説明】
【００２９】
【図１】本発明の実施形態に係る充放電器の構成を示すブロック図である。
【図２】（ａ）は、振動が与えられていない場合における加速度センサの状態を示す平面図であり、（ｂ）は、振動が与えられた場合における加速度センサの状態を示す平面図である。
【図３】上記充放電器の充電制御の手順を示すフローチャートである。
【図４】上記充放電器の動作確認部による動作確認の手順を示すフローチャートである。
【図５】（ａ）は、一般的な充電ステーションを示す概略図であり、（ｂ）は、充電ステーションに設置される充放電器のコネクタの構成を示す斜視図である。
【発明を実施するための形態】
【００３０】
本発明の実施の一形態について図１〜図４に基づいて説明すれば以下のとおりである。
【００３１】
（充放電器の構成）
図１は、本実施形態に係る充放電器（充電器）１の構成を示すブロック図である。充放電器１は、電気自動車（車両）２の蓄電池２１への充電、並びに、蓄電池２１からの放電を行う機能を有しており、本体１ａ、ケーブル１ｂおよびコネクタ１ｃを備えている。
【００３２】
本体１ａは、充放電回路部１１、充放電制御部（通電制御手段）１２、表示部１３、入力部１４、通信部１５、加速度センサ（センサ）１６ａ、振動判定部（振動判定手段）１７、警報部（警報手段）１８、タイマー部１９、動作確認部（動作確認手段）２０およびリレー回路部２３を備えている。コネクタ１ｃは、充電時および放電時に電気自動車２のコネクタ挿入口に接続されるものであり、コネクタ１ｃの内部には、加速度センサ（センサ）１６ｂが設けられている。
【００３３】
充放電回路部１１は、急速充電時に、交流電源系統３からの交流電力を高電圧（例えば５００Ｖ）の直流電力に変換する回路である。充放電回路部１１から出力された直流電力は、ケーブル１ｂおよびコネクタ１ｃを介して蓄電池２１に供給される。また、充放電回路部１１は、放電時に、蓄電池２１からの電力を、充放電器１の外部に設けられる図示しない蓄電池に出力する。
【００３４】
充放電制御部１２は、充放電器１と蓄電池２１との通電を制御する機能を有している。具体的には、充放電制御部１２は、充放電回路部１１から蓄電池２１へ供給する電流の制御、リレー回路の開閉制御および、蓄電池２１から充放電回路部１１へ放電される電流の制御を行う。
【００３５】
リレー回路部２３は充放電回路部１１から蓄電池２１の通電路の遮断機能を有している。リレー回路部２３が開状態で充放電回路部１１から蓄電池２１の通電が可能となり、リレー回路部が閉状態で充放電回路部１１から蓄電池２１の通電路が遮断される。リレー回路部２３は充放電制御部１２からの電気信号を受け取り通電路の開閉を行う。
【００３６】
表示部１３は、本体１ａの外面に設けられる液晶表示画面で構成される。当該液晶表示画面には、認証や充電操作などを行うためのユーザインタフェース画像や、後述する警告を示す画像等が表示される。
【００３７】
入力部１４は、上記液晶表示画面上に設けられるタッチパネルで構成される。ユーザは当該タッチパネルを介して、各種操作を行うことができる。例えば、入力部１４が充電開始操作を受け付けると、入力部１４は、充放電制御部１２に充電開始指示信号を出力する。これにより、充放電制御部１２は、充放電回路部１１から蓄電池２１への電力供給を開始する。
【００３８】
通信部１５は、電気自動車２との信号の送受信を行うものである。電気自動車２も通信部２２を備えており、通信部１５と通信部２２との間で信号の送受信が行われる。コネクタ１ｃが電気自動車２に接続されている場合、通信部１５は接続されていることを確認するための信号を定期的に通信部２２に送信する。これに対し、通信部２２は、応答信号を通信部１５に送信する。また、後述するように、通信部１５と通信部２２との間では、充放電器１の出力可能電圧・出力可能電流や、蓄電池２１の電圧・残量を示す情報等が送受信される。
【００３９】
加速度センサ１６ａは、振動の加速度を検知するセンサであり、本体１ａの内部に設けられている。加速度センサ１６ｂは、加速度センサ１６ａと同様の構成であり、コネクタ１ｃの内部に設けられている。加速度センサ１６ａ・１６ｂは、振動を検知すると、振動の加速度に応じた信号を振動判定部１７に出力する。加速度センサ１６ａ・１６ｂの具体的な構成は、後述する。
【００４０】
なお、加速度センサ１６ａは、本体１ａの振動を検出可能な位置であれば、本体１ａの内部に限定されず、本体１ａの外面に設けられてもよい。同様に、加速度センサ１６ｂは、コネクタ１ｃの振動を検出可能な位置であれば、コネクタ１ｃの内部に限定されず、コネクタ１ｃの外面に設けられてもよい。
【００４１】
振動判定部１７は、加速度センサ１６ａ・１６ｂからの信号に基づき、加速度センサ１６ａ・１６ｂによって検出された振動が一定以上であるか否かを判定する機能を有している。振動判定部１７は、充放電器１と電気自動車２とが通電している間、すなわち、充電または放電が行われている間に、加速度センサ１６ａ・１６ｂによって検出された振動が一定以上であると判定した場合、充放電制御部１２に動作停止信号を送る。充放電制御部１２は、動作停止信号を受け付けると、充放電回路部１１の動作を停止させるとともに、リレー回路部２３に電気信号を送り充放電回路部１１から蓄電池２１の通電路を遮断させて、充放電器１と蓄電池２１との通電を停止させる。
【００４２】
ここで、「一定以上の振動」とは、充放電器１の設置場所において重量物の落下の危険が生じる程度の振動、または、コネクタ１ｃの着脱時に生じる振動、を意味する。すなわち、加速度センサ１６ａによって検出された振動が、充放電器１の設置場所において重量物の落下の危険が生じる程度の振動である場合、および、加速度センサ１６ｂによって検出された振動が、コネクタ１ｃの着脱時に生じる振動である場合に、振動判定部１７は動作停止信号を出力する。一定以上の振動であるかの判定基準は、充放電器１の設置状況、充放電器１の耐震性能などに基づいて、適宜設定される。
【００４３】
上記の構成により、例えば、地震の発生により、加速度センサ１６ａが一定以上の振動を検出した場合、充放電器１と蓄電池２１との通電が停止する。これにより、地震の影響で、本体１ａが破損して断線や短絡が発生したり、重量物がケーブル１ｂに落下してケーブル１ｂの被覆が剥がれること等による漏電を未然に防ぐことができるので、漏電が発生してから警報音を発する従来構成に比べて、より確実に感電事故を防止することができる。
【００４４】
また、充放電中に他人がコネクタ１ｃを外そうとしたり、ケーブル１ｂに人の足などが引っ掛かった場合やコネクタがつながった状態で車が動き出した場合に、加速度センサ１６ｂが振動を検出し、コネクタ１ｃが外れる前に、充放電器１と蓄電池２１との通電を停止させることができる。これにより、コネクタ１ｃから空気中への放電を確実に防止することができる。
【００４５】
さらに、振動判定部１７は、加速度センサ１６ａ・１６ｂによって検出された振動が一定以上の大きさである場合に、警報部１８に警報出力指示信号を出力する。これに応じて、警報部１８は、図示しないスピーカーから警報音を発生させる。当該構成により、振動により充放電が停止したことをユーザに報知することができる。また、他人がコネクタ１ｃを外そうとした場合には、コネクタ１ｃが外される前に、警報音が発せられるので、悪戯に対するセキュリティを強化することができる。
【００４６】
なお、充放電が行われていない場合は、加速度センサ１６ａ・１６ｂは動作しない構成とすることが好ましい。すなわち、充放電器１と電気自動車２とが通電していないときに、本体１ａおよびコネクタ１ｃに一定以上の振動が与えられても、加速度センサ１６ａ・１６ｂは、振動の大きさを示す信号を出力しない。これにより、加速度センサ１６ａ・１６ｂを動作させるための電力を低減することができる。
【００４７】
また、充放電器１は、充放電制御部１２が充放電器１と蓄電池２１との通電を停止させた場合、所定時間経過後に充放電器１および蓄電池２１の動作確認を行い、正常であることが確認されることを条件に、通電を再開する構成となっている。この機能を実現するため、本体１ａには、タイマー部１９および動作確認部２０が設けられている。
【００４８】
振動判定部１７は、加速度センサ１６ａ・１６ｂによって検出された振動が一定以上の大きさであると判定すると、タイマー部１９にカウントダウン開始指示信号を出力する。これにより、タイマー部１９は、カウントダウンを開始する。所定時間（例えば３００秒）が経過した後、タイマー部１９は、カウントダウンを終了し、その旨を動作確認部２０に通知する。
【００４９】
動作確認部２０は、タイマー部１９がカウントダウンを終了すると、安全に通電を再開できるか否かを確認するため、充放電器１および電気自動車２の蓄電池２１の動作確認を行う。動作確認の結果、異常なしと判定された場合、動作確認部２０は、充放電制御部１２に動作再開信号を出力する。これにより、充電または放電が再開される。一方、上記の動作確認の結果、異常ありと判定された場合、動作確認部２０は、表示部１３に警告表示指示信号を出力して、異常があるために充電を再開できない旨の警告を液晶表示画面に表示させる。
【００５０】
このように、振動により充放電器１と蓄電池２１との通電が停止した場合、動作確認部２０が充放電器１および蓄電池２１に異常があるか否かを確認し、異常なしと判定した場合に、通電が再開される。これにより、振動により充放電器１または蓄電池２１が破損した場合に通電を再開させることによる漏電を防止することができる。
【００５１】
また、充放電制御部１２が充放電器１と蓄電池２１との通電を停止させた場合、タイマー部１９が所定時間カウントダウンを行う。これは、地震が発生した場合に、余震が断続的に発生することを想定しており、カウントダウンを行う時間は、安全性および充放電時間短縮の必要性の観点から、適宜設定される。なお、タイマー部１９を設けずに、充放電器１と蓄電池２１との通電停止後、すぐに動作確認部２０による動作確認処理を行ってもよい。
【００５２】
（加速度センサの構成）
続いて、加速度センサ１６ａ・１６ｂの具体的な構成について、図２を参照して説明する。加速度センサ１６ａと加速度センサ１６ｂとは、同一の構成であるため、図２では、加速度センサ１６ａおよび加速度センサ１６ｂを、加速度センサ１６と表示している。
【００５３】
図２（ａ）は、振動が与えられていない場合における加速度センサ１６の状態を示す平面図である。加速度センサ１６は、可動部１６１と、可動電極１６２と、固定電極１６３とを備えている。
【００５４】
可動部１６１は、加速度センサ１６の設置場所に、例えばバネを介して保持されている。これにより、加速度センサ１６に振動が与えられると、可動部１６１は、加速度センサ１６の設置場所に対して相対的に移動する。
【００５５】
可動電極１６２は、可動部１６１の側面に複数取り付けられており、可動部１６１と一体的に移動する。本実施形態では、可動部１６１の図中横方向（Ｘ方向）に垂直な側面１６１ｘ、および可動部１６１の図中縦方向（Ｙ方向）に垂直な側面１６１ｙに、可動電極１６２がそれぞれ２つづつ取り付けられている。
【００５６】
固定電極１６３は、加速度センサ１６の設置場所に複数固定されている。各固定電極１６３は、可動電極１６２と対向している。
【００５７】
図２（ｂ）は、振動が与えられた場合における加速度センサ１６の状態を示す平面図である。同図に示すように、可動部１６１および可動電極１６２が、固定電極１６３に対して右方向に相対移動している。
【００５８】
このとき、可動部１６１の側面１６１ｘに取り付けられた可動電極１６２と固定電極１６３とが電極同士の対向面積が変化する。このため、可動部１６１の相対移動量に応じて、電極間の静電容量が変化する。これにより、加速度センサ１６は、振動の加速度に応じた信号を生成することができる。
【００５９】
なお、本実施形態では、振動を検出するセンサとして加速度センサ１６を用いているが、これに限定されず、漏電をもたらす可能性のある振動であるか否かを振動判定部１７によって判定可能であれば、加速度センサ１６以外の、あらゆる公知のセンサを用いることができる。例えば、振動の振幅を検出する振動センサも、本発明に適用可能である。
【００６０】
（充電制御のフロー）
続いて、充放電器１の充電制御について説明する。図３は、充放電器１の充電制御の手順を示すフローチャートである。
【００６１】
まず、ユーザが充放電器１のコネクタ１ｃを電気自動車２のコネクタ挿入口に接続し、入力部１４を介して所定の充電開始操作を行うことにより、リレー回路部が開状態になり（ステップＳ１）充電が開始される（ステップＳ２、通電開始ステップ）。充電が開始されると、加速度センサ１６ａ・１６ｂに電力が供給され、加速度センサ１６ａ・１６ｂが起動する（ステップＳ３、振動検出ステップ）。
【００６２】
充電が行われている間に、加速度センサ１６ａおよび加速度センサ１６ｂは、それぞれ本体１ａおよびコネクタ１ｃの振動を検出する（ステップＳ４、振動判定ステップ）。加速度センサ１６ａ・１６ｂが一定以上の振動を検出することなく、充電が終了した場合は（ステップＳ４において「ＮＯ」、ステップＳ５において「ＹＥＳ」）、加速度センサ１６ａ・１６ｂが停止するため、コネクタ１ｃを取り外しても、振動判定部１７は動作しない。
【００６３】
一方、充電が行われている間に、加速度センサ１６ａまたは加速度センサ１６ｂが一定以上の振動を検出した場合は（ステップＳ４において「ＹＥＳ」）、振動判定部１７は充放電制御部１２に動作停止信号を送る（ステップＳ６）。これにより、充放電制御部１２が充放電回路部１１の動作を停止させ（ステップＳ７、通電停止ステップ）、リレー回路部が閉状態となり（ステップＳ８）、充電が中断される。
【００６４】
その後、加速度センサ１６ａ・１６ｂが一定以上の振動を検出しなくなると（ステップＳ９において「ＹＥＳ」）、振動判定部１７は、タイマー部１９に３００秒間のカウントダウンを開始させる（ステップＳ１０）。
【００６５】
タイマー部１９のカウントダウン動作中に、加速度センサ１６ａまたは加速度センサ１６ｂが一定以上の振動を再び検出した場合（ステップＳ９において「ＹＥＳ」）、タイマー部１９はカウントダウンを中止して、ステップＳ９に戻る。その後、一定以上の振動が検出されなくなると（ステップＳ９において「ＹＥＳ」）、タイマー部１９は、最初からカウントダウンを開始する（ステップＳ１０）。
【００６６】
一方、タイマー部１９のカウントダウン動作中に、加速度センサ１６ａまたは加速度センサ１６ｂが一定以上の振動を検出しなかった場合（ステップＳ１１において「ＮＯ」、ステップＳ１２において「ＹＥＳ」）、動作確認部２０が充放電器１および蓄電池２１の動作確認を開始する（Ｓ１３）。なお、動作確認部２０による動作確認の具体的な内容は、後述する。
【００６７】
動作確認の結果、異常なしと判定された場合（ステップＳ１４において「ＹＥＳ」）、動作確認部２０が、充放電制御部１２に動作再開信号を出力することにより、充電が再開され（ステップＳ１５）、ステップＳ３に移行する。一方、動作確認の結果、異常ありと判定された場合（ステップＳ１４において「ＮＯ」）、液晶表示画面に警告画面が表示される（ステップＳ１６）。
【００６８】
（動作確認のフロー）
続いて、動作確認部２０による動作確認について具体的に説明する。図４は、動作確認部２０による動作確認の手順を示すフローチャートである。
【００６９】
まず、動作確認部２０は、充放電器１の通信部１５と電気自動車２の通信部２２との間で互いに通信可能か確認する（ステップＳ２１）。具体的には、動作確認部２０は、通信部１５から通信部２２に所定の信号を出力させ、通信部２２から通信部１５に所定の信号が返信されたか否かを確認する。
【００７０】
通信部２２から所定の信号が返信された場合（ステップＳ２１において「ＹＥＳ」）、動作確認部２０は、充放電器１と電気自動車２との間で正常に情報のやりとりが可能であるかを確認する（ステップＳ２２）。具体的には、通信部１５が「充放電器１の出力可能電圧」および「充放電器１の出力可能電流」の各内容を示す情報を通信部２２に出力し、これに対し、通信部２２が「蓄電池２１の電圧」および「蓄電池２１の残量」の各内容を示す情報を通信部１５に出力する。動作確認部２０は、これらの情報交換が全て完了したか否かを確認する。
【００７１】
上記の情報交換が全て完了すると（ステップＳ２２において「ＹＥＳ」）、動作確認部２０は、これらの情報に基づいて、充電可能であるか否かを判断する（ステップＳ２３）。例えば、
・蓄電池２１の電圧が所定範囲内の値である、
・充放電器１の出力可能電圧が蓄電池２１の電圧よりも高い、
・蓄電池２１の残量が最大容量（満充電）ではない、
という条件を全て満たしていれば、動作確認部２０は充電可能であると判断する。
【００７２】
充電可能である場合（ステップＳ２４において「ＹＥＳ」）、動作確認部２０は、絶縁不良および短絡の有無を確認する（ステップＳ２５）。具体的には、動作確認部２０は、充放電回路部１１から車側インレットにかけて数百Ｖの電圧を印加し、電圧が正常であるか否かを確認する。
【００７３】
上記のステップＳ２１、Ｓ２２、Ｓ２４、Ｓ２５の全てにおいて「ＹＥＳ」である場合に、動作確認部２０は、充放電器１および蓄電池２１に異常がないと判定する（ステップＳ２６）。一方、ステップＳ２１、Ｓ２２、Ｓ２４、Ｓ２５の少なくともいずれかにおいて「ＮＯ」である場合、動作確認部２０は、充放電器１および蓄電池２１の少なくともいずれかに異常があると判定する（ステップＳ２７）。
【００７４】
上記の手順により、図３に示すフローチャートの動作確認処理（ステップＳ１３）が行われ、充放電器１および蓄電池２１に異常があるか否かの判定がなされる（ステップＳ１４）。なお、動作確認部２０が確認を行う内容は、上記に限定されない。充電の安全性を確保するために必要な確認内容は、充放電器１および蓄電池２１の具体的な構成に応じて、適宜定められる。
【００７５】
（付記事項）
本発明は上記の実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００７６】
上記の実施形態では、充電を行っている間に加速度センサが一定以上の振動を検出した場合に、充放電回路部を停止させる構成であったが、本発明はこれに限定されない。充電時だけでなく、放電時においても、加速度センサが一定以上の振動を検出した場合に、充放電回路部を停止させる構成も本発明に含まれる。
【００７７】
また、上記の実施形態では、充電機能および放電機能を有する充放電器について説明したが、本発明は、充電機能のみを有する充電器にも適用可能である。また、一般家庭に設置される充放電器および充電器にも、本発明は適用可能である。
【００７８】
最後に、充放電器１の各ブロック、特に充放電制御部１２、通信部１５、振動判定部１７、警報部１８、タイマー部１９および動作確認部２０は、ハードウェアロジックによって構成してもよいし、次のようにＣＰＵを用いてソフトウェアによって実現してもよい。
【００７９】
すなわち、充放電器１は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである充放電器１の制御プログラムのプログラムコード（実行形式プログラム、中間コードプログラム、ソースプログラム）をコンピュータで読み取り可能に記録した記録媒体を、上記充放電器１に供給し、そのコンピュータ（またはＣＰＵやＭＰＵ）が記録媒体に記録されているプログラムコードを読み出し実行することによっても、達成可能である。
【００８０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００８１】
また、充放電器１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００８２】
本発明は、電気によって駆動する車両の蓄電池に電力を供給する充放電器に利用することができる。
【符号の説明】
【００８３】
１    充放電器（充電器）
１ａ    本体
１ｂ    ケーブル
１ｃ    コネクタ
２    電気自動車（車両）
３    交流電源系統
１１    充放電回路部
１２    充放電制御部（通電制御手段）
１３    表示部
１４    入力部
１５    通信部
１６    加速度センサ（センサ）
１６ａ    加速度センサ（センサ）
１６ｂ    加速度センサ（センサ）
１７    振動判定部（振動判定手段）
１８    警報部（警報手段）
１９    タイマー部
２０    動作確認部（動作確認手段）
２１    蓄電池
２２    通信部
２３    リレー回路部
１６１    可動部
１６１ｘ  側面
１６１ｙ  側面
１６２    可動電極
１６３    固定電極
【図１】
2012157175.tif 000003
【図２】
2012157175.tif 000004
【図３】
2012157175.tif 000005
【図４】
2012157175.tif 000006
【図５】
2012157175.tif 000007
【手続補正書】
【提出日】平成24年6月5日(2012.6.5)
【手続補正１】
【補正対象書類名】特許請求の範囲
【補正対象項目名】全文
【補正方法】変更
【補正の内容】
【特許請求の範囲】
【請求項１】
車両の蓄電池への充電を行う機能を有する充電器であって、
上記充電器と上記蓄電池との通電を制御する通電制御手段と、
振動を検出するセンサと、
上記センサによって検出された振動が一定以上であるか否かを判定する振動判定手段と、
上記充電器および上記蓄電池に異常があるか否かを確認する動作確認手段とを備え、
上記充電器と上記蓄電池とが通電している間に、上記振動が一定以上であると判定された場合に、上記通電制御手段は、上記充電器と上記蓄電池との通電を停止させ、
上記充電器と上記蓄電池との通電が停止してから、上記センサが上記一定以上の振動を検出することなく所定時間が経過した後、上記動作確認手段が異常なしと判定した場合に、上記通電制御手段は、上記充電器と上記蓄電池との通電を再開させることを特徴とする充電器。
【請求項２】
上記センサは、上記充電器の本体に設けられることを特徴とする請求項１に記載の充電器。
【請求項３】
上記センサは、上記充電器を上記車両と接続するためのコネクタに設けられることを特徴とする請求項１または２に記載の充電器。
【請求項４】
上記振動判定手段によって上記振動が一定以上であると判定された場合に、警報を発する警報手段を備えることを特徴とする請求項１〜３の何れか１項に記載の充電器。
【請求項５】
車両の蓄電池への充電を行う機能を有する充電器の制御方法であって、
上記充電器と上記蓄電池との通電を開始する通電開始ステップと、
上記充電器と上記蓄電池とが通電している間に、上記充電器の振動を検出する振動検出ステップと、
上記振動検出ステップにおいて検出された振動が一定以上であるか否かを判定する振動判定ステップと、
上記振動が一定以上であると判定された場合に、上記充電器と上記蓄電池との通電を停止させる通電停止ステップと、
上記充電器と上記蓄電池との通電が停止してから、上記一定以上の振動が検出されることなく所定時間が経過した後、上記充電器および上記蓄電池に異常があるか否かを確認する動作確認ステップと、
上記動作確認ステップにおいて異常なしと判定された場合に、上記充電器と上記蓄電池との通電を再開させる通電再開ステップとを含むことを特徴とする充電器の制御方法。
【請求項６】
請求項１〜４の何れか１項に記載の充電器を動作させるための制御プログラムであって、コンピュータを上記各手段として機能させるための制御プログラム。
【請求項７】
請求項６に記載の制御プログラムを記録したコンピュータ読み取り可能な記録媒体。